(57)【要約】  【課題】  相手側端末装置にワンタッチ発信する機能を備えた電話機において、同相手側端末装置の電話番号に変更が生じると、同電話番号の変更登録作業は極めて面倒である。  【解決手段】  内線電話機２と、内線電話機２を収容接続するＰＢＸ５内のＣＣ１６とを備えた構内交換システム１であって、ＣＣは、相手側端末装置毎に、同相手側端末装置を示すテキスト情報及び回線収容位置情報を記憶管理する回線情報メモリ２２と、内線電話機からテキスト情報を受信すると、このテキスト情報に対応した回線収容位置情報を回線情報メモリから検索し、この回線収容位置情報に基づき、内線電話機から同回線収容位置情報の内線電話機への発信動作を実行するＣＣ制御部２４とを有している。【選択図】  図２
2006042103.tif 000002
【特許請求の範囲】
【請求項１】
通信端末装置と、この通信端末装置を収容接続する制御装置を備えた通信システムであって、
前記制御装置は、
通信対象の相手側端末装置毎に、同相手側端末装置を示すテキスト情報及び、同相手側端末装置に通信接続するための通信アクセス情報を記憶管理する情報記憶手段と、
前記通信端末装置からテキスト情報を受信すると、このテキスト情報に対応した通信アクセス情報を前記情報記憶手段内から検索する情報検索手段と、
この情報検索手段にて同テキスト情報に対応した通信アクセス情報を検索すると、この通信アクセス情報に基づき、前記通信端末装置から同通信アクセス情報の相手側端末装置への発信動作を実行する通信制御手段とを有することを特徴とする通信システム。
【請求項２】
前記制御装置は、
前記相手側端末装置のテキスト情報及び通信アクセス情報を入力する機能を備えた管理端末装置を収容接続し、
この管理端末装置から前記相手側端末装置のテキスト情報及び通信アクセス情報を検出すると、同テキスト情報及び通信アクセス情報を前記情報記憶手段に記憶更新する記憶更新手段を有することを特徴とする請求項１記載の通信システム。
【請求項３】
前記制御装置は、
前記記憶更新手段にて前記相手側端末装置のテキスト情報及び通信アクセス情報を前記情報記憶手段に記憶更新すると、同相手側端末装置のテキスト情報を前記通信端末装置に通知することを特徴とする請求項２記載の通信システム。
【請求項４】
前記通信アクセス情報は、
前記相手側端末装置の回線収容位置番号を示す回線収容位置情報であることを特徴とする請求項１、２又は３記載の通信システム。
【請求項５】
前記通信アクセス情報は、
前記相手側端末装置のＩＰアドレスを示すアドレス情報であることを特徴とする請求項１、２又は３記載の通信システム。
【請求項６】
ＩＰ通信端末装置と、このＩＰ通信端末装置を収容接続するＩＰ制御装置を備えた通信システムであって、
前記ＩＰ制御装置は、
通信対象の相手側ＩＰ端末装置毎に、同相手側ＩＰ端末装置を示すテキスト情報及び、同相手側ＩＰ端末装置のＩＰアドレスを示すアドレス情報を記憶管理する情報記憶手段と、
前記ＩＰ通信端末装置からテキスト情報を受信すると、このテキスト情報に対応したアドレス情報を前記情報記憶手段内から検索する情報検索手段と、
この情報検索手段にて同テキスト情報に対応したアドレス情報を検索すると、このアドレス情報を前記ＩＰ通信端末装置に提供するアドレス情報提供手段とを有することを特徴とする通信システム。
【請求項７】
前記ＩＰ通信端末装置は、
前記ＩＰ制御装置内の前記アドレス情報提供手段から前記アドレス情報の提供を受けると、このアドレス情報に基づき、前記テキスト情報に関わる前記相手側ＩＰ端末装置への発信動作を実行することを特徴とする請求項６記載の通信システム。
【請求項８】
前記ＩＰ制御装置は、
前記情報記憶手段への前記相手側ＩＰ端末装置のテキスト情報及びアドレス情報の記憶更新を検出すると、同相手側ＩＰ端末装置のテキスト情報を前記ＩＰ通信端末装置に通知することを特徴とする請求項６又は７記載の通信システム。
【発明の詳細な説明】
【技術分野】
【０００１】
本発明は、例えば電話機等の通信端末装置と、この通信端末装置を収容接続する、例えば構内交換機等の制御装置とを有し、この制御装置は、通信端末装置から相手側端末装置への発信操作を検出すると、同通信端末装置から相手側端末装置への発信動作を実行する、例えば構内交換システム等の通信システムに関する。
【背景技術】
【０００２】
従来、このような構内交換システムとしては、複数の電話機と、これら複数の電話機を収容接続する構内交換機とを有し、構内交換機は、電話機から相手側端末装置への発信操作を検出すると、電話機から相手側端末装置の電話番号を受信し、この受信した電話番号に基づき相手側端末装置への発信動作を実行するものである（例えば特許文献１参照）。
【０００３】
電話機では、例えば相手側端末装置の相手先名称及び、同相手先名称に対応した電話番号を記憶管理した電話帳機能を内蔵し、同電話帳機能を使用することで所望の相手側端末装置への発信操作を行う場合、所望の相手側端末装置に対応した相手先名称を選択操作し、この相手先名称に対応した電話番号を電話帳機能から読み出し、この電話番号を構内交換機に通知するものである。
【０００４】
そして、構内交換機では、電話機からの相手側端末装置の電話番号を受信し、この受信した電話番号に基づき相手側端末装置への発信動作を実行し、相手側端末装置が応答することで、同電話機及び相手側端末装置間の通話を確立するものである。
【０００５】
このような特許文献１によれば、電話機に相手側端末装置の相手先名称及び電話番号を記憶管理する電話帳機能を備え、この電話機にて相手先名称を選択するだけで、同電話帳機能から同相手先名称に対応した電話番号を読み出し、この電話番号を構内交換機に伝送し、同構内交換機では同電話番号を受信し、この受信した電話番号に基づいて相手側端末装置への発信動作を実行するようにしたので、電話機のユーザは、相手側端末装置の電話番号を認識することなく、相手側端末装置の相手先名称を選択操作するだけで同相手先名称に対応した相手側端末装置に発信することができるため、とても使い勝手が良い。
【０００６】
また、特許文献１においては、電話機を、例えば社内の内線ＰＨＳとする実施の形態について説明しており、例えば内線ＰＨＳで記憶管理する相手側端末装置毎の相手先名称及び電話番号の内容に変更が生じた場合、その変更内容をショートメッセージ等で各内線ＰＨＳに配信するようにしたので、内線ＰＨＳでは、常に最新の変更内容に電話帳機能を更新することができる。
【特許文献１】特開平１１−３５５４５８号公報(要約書及び図１参照)
【発明の開示】
【発明が解決しようとする課題】
【０００７】
しかしながら、特許文献１によれば、内線ＰＨＳ等の電話機に相手側端末装置の相手先名称及び電話番号を記憶管理させ、例えば相手側端末装置の電話番号に変更が生じた場合、同電話番号の変更内容をショートメッセージで各内線ＰＨＳに配信し、各内線ＰＨＳのユーザではショートメッセージの変更内容に基づき電話番号の登録作業を行わなければならず、電話番号の変更に際しては変更内容の配信作業や登録作業等の変更登録作業が非常に面倒である。
【０００８】
本発明は上記点に鑑みてなされたものであり、その目的とするところは、相手側端末装置にワンタッチ発信する機能を備えた電話機において、同相手側端末装置の電話番号に変更が生じたとしても、同電話番号の変更登録作業を大幅に軽減することができる通信システムを提供することにある。
【課題を解決するための手段】
【０００９】
上記目的を達成するために本発明の通信システムは、通信端末装置と、この通信端末装置を収容接続する制御装置を備えた通信システムであって、前記制御装置は、通信対象の相手側端末装置毎に、同相手側端末装置を示すテキスト情報及び、同相手側端末装置に通信接続するための通信アクセス情報を記憶管理する情報記憶手段と、前記通信端末装置からテキスト情報を受信すると、このテキスト情報に対応した通信アクセス情報を前記情報記憶手段内から検索する情報検索手段と、この情報検索手段にて同テキスト情報に対応した通信アクセス情報を検索すると、この通信アクセス情報に基づき、前記通信端末装置から同通信アクセス情報の相手側端末装置への発信動作を実行する通信制御手段とを有するようにした。
【００１０】
本発明の通信システムは、前記制御装置が、前記相手側端末装置のテキスト情報及び通信アクセス情報を入力する機能を備えた管理端末装置を収容接続し、この管理端末装置から前記相手側端末装置のテキスト情報及び通信アクセス情報を検出すると、同テキスト情報及び通信アクセス情報を前記情報記憶手段に記憶更新する記憶更新手段を有するようにした。
【００１１】
本発明の通信システムは、前記制御装置が、前記記憶更新手段にて前記相手側端末装置のテキスト情報及び通信アクセス情報を前記情報記憶手段に記憶更新すると、同相手側端末装置のテキスト情報を前記通信端末装置に通知するようにした。
【００１２】
本発明の通信システムは、前記通信アクセス情報が、前記相手側端末装置の回線収容位置番号を示す回線収容位置情報とした。
【００１３】
本発明の通信システムは、前記通信アクセス情報が、前記相手側端末装置のＩＰアドレスを示すアドレス情報とした。
【００１４】
本発明の通信システムは、ＩＰ通信端末装置と、このＩＰ通信端末装置を収容接続するＩＰ制御装置を備えた通信システムであって、前記ＩＰ制御装置は、通信対象の相手側ＩＰ端末装置毎に、同相手側ＩＰ端末装置を示すテキスト情報及び、同相手側ＩＰ端末装置のＩＰアドレスを示すアドレス情報を記憶管理する情報記憶手段と、前記ＩＰ通信端末装置からテキスト情報を受信すると、このテキスト情報に対応したアドレス情報を前記情報記憶手段内から検索する情報検索手段と、この情報検索手段にて同テキスト情報に対応したアドレス情報を検索すると、このアドレス情報を前記ＩＰ通信端末装置に提供するアドレス情報提供手段とを有するようにした。
【００１５】
本発明の通信システムは、前記ＩＰ通信端末装置が、前記ＩＰ制御装置内の前記アドレス情報提供手段から前記アドレス情報の提供を受けると、このアドレス情報に基づき、前記テキスト情報に関わる前記相手側ＩＰ端末装置への発信動作を実行するようにした。
【００１６】
本発明の通信システムは、前記ＩＰ制御装置が、前記情報記憶手段への前記相手側ＩＰ端末装置のテキスト情報及びアドレス情報の記憶更新を検出すると、同相手側ＩＰ端末装置のテキスト情報を前記ＩＰ通信端末装置に通知するようにした。
【発明の効果】
【００１７】
上記のように構成された本発明の通信システムによれば、前記制御装置側で、通信対象の相手側端末装置毎にテキスト情報及び通信アクセス情報を記憶管理し、前記通信端末装置からの通信対象のテキスト情報を受信すると、このテキスト情報に対応した通信アクセス情報を検索し、この通信アクセス情報に基づき、前記通信端末装置から同通信アクセス情報の相手側端末装置への発信動作を実行するようにした、すなわち、通信端末装置側では通信対象のテキスト情報のみを記憶管理するだけで済むため、通信端末装置側で通信アクセス情報を記憶管理する必要もなくなることから、例えば相手側端末装置の電話番号等の通信アクセス情報に変更が生じたとしても、制御装置側の情報記憶手段内の相手側端末装置に対応した通信アクセス情報を変更するだけで、各通信端末装置に対する通信アクセス情報の変更に伴う配信作業及び登録作業が必要なくなるため、その作業負担を大幅に軽減することができる。
【００１８】
また、本発明の通信システムによれば、通信端末装置側では相手側端末装置の通信アクセス情報を記憶することなく、同相手側端末装置のテキスト情報のみを記憶管理するだけで済むため、そのメモリ容量を大幅に削減することができる。
【００１９】
さらに本発明の通信システムによれば、従来のように相手側端末装置の電話番号等の通信アクセス情報で一元管理するのではなく、相手側端末装置のテキスト情報で一元管理するようにしたので、従来と異なるタイプの通信システムを提供することができる。
【００２０】
本発明の通信システムによれば、前記制御装置に収容接続する管理端末装置から前記相手側端末装置のテキスト情報及び通信アクセス情報を変更するようにしたので、管理端末装置、例えばパソコンから簡単に制御装置内部の情報記憶手段に記憶中のテキスト情報及び通信アクセス情報を変更することができる。
【００２１】
本発明の通信システムによれば、前記制御装置の相手側端末装置のテキスト情報及び通信アクセス情報を記憶更新すると、同相手側端末装置のテキスト情報を通信端末装置に通知するようにしたので、相手側端末装置の通信アクセス情報に変更が発生した場合は通信端末装置に対する変更登録作業は必要ないが、相手側端末装置のテキスト情報に変更が発生した場合は通信端末装置に同テキスト情報を通知し、通信端末装置側に最新のテキスト情報を登録更新することができる。
【００２２】
本発明の通信システムによれば、前記通信アクセス情報が前記相手側端末装置の回線収容位置番号を示す回線収容位置情報としたので、相手側端末装置が通常の電話機の場合に適用可能である。
【００２３】
本発明の通信システムによれば、前記通信アクセス情報が前記相手側端末装置のＩＰアドレスを示すアドレス情報としたので、相手側端末装置がＩＰ電話機の場合に適用可能である。
【００２４】
上記のように構成された本発明の通信システムによれば、前記ＩＰ制御装置側で、通信対象の相手側ＩＰ端末装置毎にテキスト情報及びアドレス情報を記憶管理し、前記ＩＰ通信端末装置からの通信対象のテキスト情報を受信すると、このテキスト情報に対応したアドレス情報を検索し、このアドレス情報をＩＰ通信端末装置に提供するようにした、すなわち、ＩＰ通信端末装置側では通信対象のテキスト情報のみを記憶管理するだけで済むため、ＩＰ通信端末装置側でアドレス情報を記憶管理する必要もなくなることから、例えば相手側ＩＰ端末装置のアドレスに変更が生じたとしても、ＩＰ制御装置側の情報記憶手段内の相手側ＩＰ端末装置に対応したアドレス情報を変更するだけで、ＩＰ通信端末装置に対するアドレス情報変更に伴う配信作業及び登録作業等の変更登録作業が必要なくなるため、その作業負担を大幅に軽減することができる。
【００２５】
また、本発明の通信システムによれば、通信端末装置側では相手側端末装置のアドレス情報を記憶することなく、同相手側端末装置のテキスト情報のみを記憶管理するだけで済むため、そのメモリ容量を大幅に軽減することができる。
【００２６】
本発明の通信システムによれば、ＩＰ通信端末装置側にてＩＰ制御装置側からテキスト情報に対応したアドレス情報の提供を受けると、このアドレス情報に基づき、前記テキスト情報に関わる前記相手側ＩＰ端末装置への発信動作を実行するようにしたので、ＩＰ通信端末装置のユーザは、ＩＰ制御装置側から相手側ＩＰ端末装置のテキスト情報に対応したアドレス情報の提供を受けて同相手側ＩＰ端末装置に発信することができる。
【００２７】
本発明の通信システムによれば、前記ＩＰ制御装置側で情報記憶手段の記憶内容が更新されると、同更新内容をＩＰ通信端末装置に通知するようにしたので、相手側ＩＰ端末装置のアドレス情報に変更が発生した場合はＩＰ通信端末装置に対する変更登録作業は必要ないが、相手側ＩＰ端末装置のテキスト情報に変更が発生した場合はＩＰ通信端末装置に同テキスト情報を通知し、ＩＰ通信端末装置側に最新のテキスト情報を登録更新することができる。
【発明を実施するための最良の形態】
【００２８】
以下、図面に基づいて本発明の通信システムに関わる実施の形態を示す構内交換システムについて説明する。
【００２９】
（実施の形態１）
図１は第１の実施の形態を示す構内交換システム内部の概略構成を示すブロック図である。
【００３０】
図１に示す構内交換システム１は、複数の内線電話機２と、パソコン等の管理端末装置３と、これら内線電話機２及び管理端末装置３を収容接続すると共に、公衆網４と通信接続する構内交換機（以下、単にＰＢＸと称する）５とを有している。
【００３１】
ＰＢＸ５は、内線電話機２との通信インタフェースを司る内線回路（以下、単にＬＩＮと称する）１１と、公衆網４との通信インタフェースを司る局線インタフェース（以下、単にＣＯＴと称する）１２と、管理端末装置３との通信インタフェースを司る管理端末インタフェース１３と、これらＬＩＮ１１、ＣＯＴ１２及び管理端末インタフェース１３間での通信路を形成する通信路スイッチ（以下、単にＴＳＷと称する）１４と、様々な局データ及び局プログラム等の情報を記憶管理する記憶装置（以下、単にＭＭと称する）１５と、このＰＢＸ５全体を制御する中央制御装置（以下、単にＣＣと称する）１６とを有している。
【００３２】
図２は本実施の形態に関わるＣＣ１６内部の概略構成を示すブロック図である。
【００３３】
図２に示すＣＣ１６は、ＴＳＷ１４との通信インタフェースを司る通信制御インタフェース２１と、相手側端末装置の回線情報を記憶管理する回線情報メモリ２２と、現在の回線状態を記憶管理する回線状態メモリ２３と、このＣＣ１６全体を制御するＣＣ制御部２４とを有している。尚、相手側端末装置は、例えば内線電話機２や外部の電話機等に相当するものである。
【００３４】
回線情報メモリ２２は、相手側端末装置毎に、同相手側端末装置の名称を示すテキスト情報と、同相手側端末装置の回線収容位置番号を示す回線収容位置情報とを記憶管理するものである。尚、テキスト情報とは、文字を示すＪＩＳコードやＡＳＣＩＩコード等のコード情報が主たるものであるが、その他、何らかの文字を示す情報であっても良いことはいうまでもない。
【００３５】
回線状態メモリ２３は、回線収容位置情報毎に現在の回線状態を記憶管理するものである。
【００３６】
通信制御インタフェース２１は、ＴＳＷ１４を通じて各回線の現在の回線状態を検出する回線状態検出部３１と、管理端末装置３から回線情報メモリ２２の記憶内容、例えばテキスト情報や回線収容位置情報を変更する変更アクセスを検出する変更アクセス検出部３２と、内線電話機２からの発信操作に伴うテキスト情報を検出するテキスト情報検出部３３とを有している。
【００３７】
ＣＣ制御部２４は、通信制御インタフェース２１を制御する通信制御部４１と、回線情報メモリ２２を記憶制御する回線情報メモリ制御部４２と、回線状態メモリ２３を記憶制御する回線状態メモリ制御部４３と、このＣＣ制御部２４全体を制御する制御部４４とを有している。
【００３８】
回線情報メモリ制御部４２は、変更アクセス検出部３２を通じて管理端末装置３からの変更アクセスを検出すると、同管理端末装置３から相手側端末装置の変更内容である回線情報、例えばテキスト情報や回線収容位置情報を検出し、この回線情報を回線情報メモリ２２に記憶すると共に、テキスト情報検出部３３にて発信操作に伴うテキスト情報を検出すると、このテキスト情報に対応した回線収容位置情報を回線情報メモリ２２から読み出すものである。
【００３９】
回線状態メモリ制御部４３は、回線状態検出部３１を通じて回線収容位置情報毎の現在の回線状態を監視し、この監視結果を回線状態メモリ２３に記憶すると共に、回線状態メモリ２３の記憶内容を検索するものである。
【００４０】
図３は本実施の形態に関わる回線情報メモリ２２のメモリ内容を端的に示す説明図である。
【００４１】
図３に示す回線情報メモリ２２の記憶内容は、アドレス番号を示すメモリ番号２２Ａと、相手側端末装置の名称を示すテキスト情報２２Ｂと、この相手側端末装置の回線収容位置番号を示す回線収容位置情報２２Ｃと、同相手側端末装置と連動するパソコン等のＩＰアドレスを示す連動ＰＣアドレス情報２２Ｄとを有し、相手側端末装置毎に、テキスト情報２２Ｂ、回線収容位置情報２２Ｃ及び連動ＰＣアドレス情報２２Ｄが記憶管理され、例えばテキスト情報２２Ｂが“第１設計部”の場合、回線収容位置情報２２Ｃは“２００４”、連動ＰＣアドレス（ＩＰアドレス）２２Ｄは“ＡＡＡ．ＢＢＢ．ＣＣＣ．ＤＤＤ”ということになる。
【００４２】
図４は本実施の形態に関わる回線状態メモリ２３のメモリ内容を端的に示す説明図である。
【００４３】
図４に示す回線状態メモリ２３の記憶内容は、回線収容位置番号を示す回線収容位置情報２３Ａと、同回線収容位置番号に対応した回線の現在の回線状態２３Ｂとを有し、例えば回線収容位置番号“１００１”の回線状態は“話中”ということになる。
【００４４】
内線電話機２では、相手側端末装置のテキスト情報を予め記憶管理しているものの、同相手側端末装置の回線収容位置情報を記憶管理していないものとする。
【００４５】
つまり、内線電話機２は、相手側端末装置のテキスト情報を表示画面上にスクロール表示し、同表示画面上で通信対象の相手側端末装置に対応したテキスト情報がスクロール選択されると、このスクロール選択されたテキスト情報をＰＢＸ５に通知するものである。尚、内線電話機２ではテキスト情報を入力する機能を備えているため、テキスト情報のスクロール選択だけでなく、テキスト情報を入力することも可能であることは言うまでもない。
【００４６】
ＰＢＸ５では、テキスト情報検出部３３を通じて内線電話機２からの通信対象のテキスト情報を検出すると、このテキスト情報に対応した回線収容位置情報を回線情報メモリ２２から読み出し、この回線収容位置情報に基づき、同通信対象の相手側端末装置への発信動作を実行するものである。
【００４７】
尚、請求項記載の通信システムは構内交換システム１、通信端末装置及び相手側端末装置は内線電話機２、制御装置はＣＣ１６、情報記憶手段は回線情報メモリ２２、情報検索手段及び記憶更新手段は回線情報メモリ制御部４２、通信制御手段は通信制御部４１及び制御部４４、管理端末装置３は管理端末に相当するものである。
【００４８】
次に本実施の形態を示す構内交換システム１の動作について説明する。図５は本実施の形態に関わる回線情報登録処理に関わるＰＢＸ５内のＣＣ１６の処理動作を示すフローチャートである。
【００４９】
図５に示す回線情報登録処理とは、管理端末装置３の操作で相手側端末装置のテキスト情報、回線収容位置情報及び連動ＰＣアドレス情報等の回線情報を回線情報メモリ２２に登録するための処理である。
【００５０】
図５においてＣＣ１６の制御部４４は、変更アクセス検出部３２を通じて管理端末装置３から変更アクセスを検出すると、同回線情報登録処理の起動を開始する。
【００５１】
ＣＣ１６の制御部４４は、管理端末装置３から変更アクセスに伴うテキスト情報を受信したか否かを判定する（ステップＳ１１）。尚、変更アクセスに伴うテキスト情報は、新たに登録しようとする通信対象の相手側端末装置の名称を示すテキスト情報に相当するものである。
【００５２】
ＣＣ１６内の回線情報メモリ制御部４２は、管理端末装置３からテキスト情報を受信したのあれば、同受信したテキスト情報と同一のテキスト情報が回線情報メモリ２２内に登録済みであるか否かを判定する（ステップＳ１２）。
【００５３】
回線情報メモリ制御部４２は、この受信したテキスト情報と同一のテキスト情報が回線情報メモリ２２に登録済みでなければ、管理端末装置３から同相手側端末装置の回線収容位置情報を受信したか否かを判定する（ステップＳ１３）。尚、管理端末装置３からの回線収容位置情報は、新たに登録しようとする通信対象の相手側端末装置の回線収容位置情報に相当するものである。
【００５４】
回線情報メモリ制御部４２は、この受信した回線収容位置情報と同一の回線収容位置情報が回線情報メモリ２２に登録済みであるか否かを判定する（ステップＳ１４）。
【００５５】
回線情報メモリ制御部４２は、この受信した回線収容位置情報と同一の回線収容位置情報が回線情報メモリ２２に登録済みでなければ、管理端末装置３から同相手側端末装置に関わる連動ＰＣ設定要求を受信したか否かを判定する（ステップＳ１５）。
【００５６】
回線情報メモリ制御部４２は、管理端末装置３から同相手側端末装置に関わる連動ＰＣ設定要求を受信したのであれば、登録回線情報検出部３２を通じて管理端末装置３から同相手側端末装置に関わる連動ＰＣアドレス情報を受信したか否かを判定する（ステップＳ１６）。
【００５７】
回線情報メモリ制御部４２は、連動ＰＣアドレス情報を受信したのであれば、この受信した連動ＰＣアドレス情報と同一の連動ＰＣアドレス情報が回線情報メモリ２２に登録済みであるか否かを判定する（ステップＳ１７）。
【００５８】
回線情報メモリ制御部４２は、この受信した連動ＰＣアドレス情報と同一の連動ＰＣアドレス情報が回線情報メモリ２２に登録済みでなければ、これら管理端末装置３からのテキスト情報、回線収容位置情報及び連動ＰＣアドレス情報等の回線情報を回線情報メモリ２２に登録更新する（ステップＳ１８）。
【００５９】
制御部４４は、この回線情報メモリ２２に登録更新したテキスト情報のみを各内線電話機２に配信することで（ステップＳ１９）、この処理動作を終了する。尚、各内線電話機２は、最新のテキスト情報の配信を受け、最新のテキスト情報を自動的に更新することができるものである。
【００６０】
制御部４４は、ステップＳ１１にて管理端末装置３からテキスト情報を受信したのでなければ、所定時間タイマがタイムアップしたか否かを判定する（ステップＳ２０）。尚、ステップＳ２０の所定時間タイマは、管理端末装置３からのテキスト情報の受信を監視する時間を計時するタイマに相当するものである。
【００６１】
制御部４４は、ステップＳ２０にて所定時間タイマがタイムアップしたのでなければ、管理端末装置３からのテキスト情報の受信を監視すべく、ステップＳ１１に移行する。また、制御部４４は、ステップＳ２０にて所定時間タイマがタイムアップしたのであれば、この回線情報登録処理の処理動作を終了する。
【００６２】
制御部４４は、ステップＳ１２にて同一のテキスト情報が回線情報メモリ２２内に登録済みであると判定されると、重複登録エラーを管理端末装置３に通知し（ステップＳ２１）、管理端末装置３から新たなテキスト情報の受信を監視すべく、ステップＳ１１に移行する。
【００６３】
制御部４４は、ステップＳ１３にて管理端末装置３から回線収容位置情報を受信したのでなければ、所定時間タイマがタイムアップしたか否かを判定する（ステップＳ２２）。尚、ステップＳ２２の所定時間タイマは、管理端末装置３からの回線収容位置情報の受信を監視する時間を計時するタイマに相当するものである。
【００６４】
制御部４４は、ステップＳ２２にて所定時間タイマがタイムアップしたのでなければ、管理端末装置３からの回線収容位置情報の受信を監視すべく、ステップＳ１３に移行する。また、制御部４４は、ステップＳ２２にて所定時間タイマがタイムアップしたのであれば、ステップＳ１２にて回線情報メモリ２２内に登録済みでないと判定されたテキスト情報を回線情報メモリ２２に更新すべく、図中のＭ１に移行する。
【００６５】
制御部４４は、ステップＳ１４にて同一の回線収容位置番情報が回線情報メモリ２２内に登録済みであると判定されると、重複登録エラーを管理端末装置３に通知し（ステップＳ２３）、管理端末装置３から新たな回線収容位置情報の受信を監視すべく、ステップＳ１３に移行する。
【００６６】
制御部４４は、ステップＳ１５にて連動ＰＣ設定要求を受信したのでなければ、所定時間タイマがタイムアップしたか否かを判定する（ステップＳ２４）。尚、ステップＳ２４の所定時間タイマは、管理端末装置３からの連動ＰＣ設定要求の受信を監視する時間を計時するタイマに相当するものである。
【００６７】
制御部４４は、ステップＳ２４にて所定時間タイマがタイムアップしたのでなければ、管理端末装置３から連動ＰＣ設定要求の受信を監視すべく、ステップＳ１５に移行する。また、制御部４４は、ステップＳ２４にて所定時間タイマがタイムアップしたのであれば、ステップＳ１２にて回線情報メモリ２２内に登録済みでないと判定されたテキスト情報及びステップＳ１４にて回線情報メモリ２２内に登録済みでないと判定された回線収容位置情報を回線情報メモリ２２に更新すべく、図中のＭ１に移行する。
【００６８】
また、制御部４４は、ステップＳ１６にて管理端末装置３から連動ＰＣアドレス情報を受信したのでなければ、所定時間タイマがタイムアップしたか否かを判定する（ステップＳ２５）。尚、ステップＳ２５の所定時間タイマは、管理端末装置３からの連動ＰＣアドレス情報の受信を監視する時間を計時するタイマに相当するものである。
【００６９】
制御部４４は、ステップＳ２５にて所定時間タイマがタイムアップしたのでなければ、管理端末装置３から連動ＰＣアドレス情報の受信を監視すべく、ステップＳ１６に移行する。また、制御部は、ステップＳ２５にて所定時間タイマがタイムアップしたのであれば、ステップＳ１２にて回線情報メモリ２２内に登録済みでないと判定されたテキスト情報及びステップＳ１４にて回線情報メモリ２２内に登録済みでないと判定された回線収容位置情報を回線情報メモリ２２に更新すべく、図中のＭ１に移行する。
【００７０】
制御部４４は、ステップＳ１７にて同一の連動ＰＣアドレス情報が回線情報メモリ２２内に登録済みであると判定されると、重複登録エラーを管理端末装置３に通知し（ステップＳ２６）、管理端末装置３から新たな連動ＰＣアドレス情報の受信を監視すべく、ステップＳ１６に移行する。
【００７１】
図５に示す回線情報登録処理によれば、管理端末装置３からの変更アクセスを検出すると、相手側端末装置のテキスト情報及び回線収容位置情報等の回線情報を受信し、同テキスト情報及び回線収容位置情報を対応付けて回線情報メモリ２２に登録するようにしたので、管理端末装置３のユーザは、相手側端末装置のテキスト情報及び回線収容位置情報を簡単に登録することができる。
【００７２】
回線情報登録処理によれば、回線情報メモリ２２に相手側端末装置の新たなテキスト情報を登録更新すると、各内線電話機２に新たなテキスト情報を配信するようにしたので、内線電話機２のユーザは、常に最新のテキスト情報を自動的に更新することができる。
【００７３】
次に構内交換システム１の内線電話発信処理について説明する。図６は本実施の形態に関わる内線電話発信処理に関わるＰＢＸ５内部のＣＣ１６の処理動作を示すフローチャートである。
【００７４】
図６に示す内線電話発信処理は、内線電話機２から発信操作に伴う相手側端末装置のテキスト情報を検出すると、テキスト情報に対応した回線収容位置情報を回線情報メモリ２２から読み出し、この回線収容位置情報に基づき相手側端末装置に発信する処理である。
【００７５】
図６においてＣＣ１６の制御部４４は、テキスト情報検出部３３を通じて内線電話機２から発信操作に伴う相手側端末装置のテキスト情報を受信したか否かを判定する（ステップＳ３１）。尚、内線電話機２のユーザは、相手側端末装置の回線収容位置情報を認識することなく、テキスト情報を選択操作し、このテキスト情報のみをＰＢＸ５に通知するものである。
【００７６】
回線情報メモリ制御部４２は、内線電話機２からのテキスト情報を検出すると、このテキスト情報に対応した回線収容位置情報が回線情報メモリ２２内にあるか否かを判定する（ステップＳ３２）。
【００７７】
回線状態メモリ制御部４３は、回線情報メモリ２２内にテキスト情報に対応した回線収容位置情報があると判定されると、回線状態メモリ２３から回線収容位置情報に対応した状態情報を検索し、同状態情報が空き状態であるか否かを判定する（ステップＳ３３）。
【００７８】
制御部４４は、状態情報が空き状態であると判定されると、同回線収容位置情報に基づき、同回線収容位置情報の相手側端末装置への発信動作を実行し（ステップＳ３４）、この内線電話発信処理の処理動作を終了する。尚、制御部４４は、相手側端末装置への発信動作に対する相手側端末装置の応答動作を検出すると、ステップＳ３１にてテキスト情報を発信した内線電話機２と相手側端末装置との通話路を形成することになる。
【００７９】
制御部４４は、ステップＳ３１にて内線電話機２からテキスト情報を受信したのでなければ、この内線電話発信処理の処理動作を終了する。
【００８０】
回線情報メモリ制御部４２は、ステップＳ３２にて回線情報メモリ２２内にテキスト情報に対応した回線収容位置情報がないと判定されると、同内線電話機２から受信したテキスト情報が該当なしと判断し、同内線電話機２にテキスト情報エラーを通知し（ステップＳ３５）、この処理動作を終了する。尚、内線電話機２のユーザは、テキスト情報エラーに基づきエラーが発生したことを認識することができる。
【００８１】
また、回線状態メモリ制御部４３は、ステップＳ３３にて回線収容位置情報に対応した回線状態が空き状態でない、すなわち、同相手側端末装置が話中若しくは保留中等であると判断し、同内線電話機２に話中エラーを通知し（ステップＳ３６）、この内線電話発信処理の処理動作を終了する。尚、内線電話機２のユーザは、話中エラーに基づき、通話対象の相手側端末装置が使用中であることを認識することができる。
【００８２】
図６に示す内線電話発信処理によれば、内線電話機２から発信操作に伴う相手側端末装置のテキスト情報を検出すると、同テキスト情報に対応した回線収容位置情報を回線情報メモリ２２から検索し、この回線収容位置情報に基づき、同回線収容位置情報の相手側端末装置に発信動作を実行するようにしたので、内線電話機２は、従来のような相手側端末装置の回線収容位置情報ではなく、同相手側端末装置のテキスト情報のみをＰＢＸ５に伝送することで、相手側端末装置への発信動作を行うことができる。
【００８３】
第１の実施の形態によれば、ＣＣ１６側で、通信対象の相手側端末装置毎にテキスト情報及び回線収容位置情報を記憶管理し、内線電話機２からの通信対象のテキスト情報を受信すると、このテキスト情報に対応した回線収容位置情報を検索し、この回線収容位置情報に基づき、内線電話機２から回線収容位置情報の相手側端末装置への発信動作を実行するようにした、すなわち、内線電話機２側では通信対象のテキスト情報のみを記憶管理するだけで済むため、内線電話機２側で回線収容位置情報を記憶管理する必要もなくなることから、例えば相手側端末装置の回線収容位置情報に変更が生じたとしても、ＣＣ１６側の回線情報メモリ２２内の相手側端末装置に対応した回線収容位置情報を変更するだけで、内線電話機２に対する回線収容位置情報の変更に伴う配信作業及び登録作業等の変更登録作業が必要なくなるため、その作業負担を大幅に軽減することができる。
【００８４】
第１の実施の形態によれば、内線電話機２側では相手側端末装置の回線収容位置情報を記憶管理することなく、同相手側端末装置のテキスト情報のみを記憶管理するだけで済むため、内線電話機２側のメモリ容量を大幅に削減することができる。
【００８５】
さらに第１の実施の形態によれば、従来のように相手側端末装置の回線収容位置情報で一元管理するのではなく、相手側端末装置のテキスト情報で一元管理するようにしたので、従来と異なるタイプの通信システムを提供することができる。
【００８６】
第１の実施の形態によれば、ＣＣ１６に収容接続する管理端末装置３から相手側端末装置のテキスト情報及び回線収容位置情報を変更するようにしたので、管理端末装置３からＣＣ１６内部の回線情報メモリ２２に記憶中のテキスト情報及び回線収容位置情報を変更することができる。
【００８７】
第１の実施の形態によれば、ＣＣ１６の相手側端末装置のテキスト情報及び回線収容位置情報を記憶更新すると、同相手側端末装置のテキスト情報を内線電話機２に通知するようにしたので、相手側端末装置の回線収容位置情報に変更が発生した場合は内線電話機２に対する変更登録作業は必要ないが、相手側端末装置のテキスト情報に変更が発生した場合は内線電話機２に同テキスト情報を通知し、同内線電話機２側に最新のテキスト情報を登録更新することができる。
【００８８】
（実施の形態２）
次に第２の実施の形態を示すＩＰ電話交換システムについて説明する。図７は第２の実施の形態を示すＩＰ電話交換システム内部の概略構成を示すブロック図である。
【００８９】
図７に示すＩＰ電話交換システム１Ａは、複数のＩＰ電話装置２Ａと、様々なデータベース６０を収容接続すると共に、このＩＰ電話交換システム１Ａ全体を制御する制御装置としての制御サーバ５Ａとを有し、これらＩＰ電話装置２Ａ及び制御サーバ５ＡはＬＡＮ回線７０を通じて接続するものである。尚、ＩＰ電話装置２Ａでは、相手側端末装置のＩＰアドレスを記憶管理するものではなく、同相手側端末装置のテキスト情報のみを記憶管理しているものとする。
【００９０】
制御サーバ５Ａは、ＬＡＮ回線７０との通信インタフェースを司るＬＡＮインタフェース５１と、データベース６０とのインタフェースを司るデータベースインタフェース５２と、この制御サーバ５Ａ全体を制御するサーバ側制御部５３とを有している。
【００９１】
図８に示すデータベース６０は、アドレス番号を示すメモリ番号６０Ａと、相手側端末装置の名称を示すテキスト情報６０Ｂと、同相手側端末装置のアドレス情報を示すＩＰアドレス６０Ｃと、この相手側端末装置の現在の回線状態を示す状態情報６０Ｄとを有し、相手側端末装置のテキスト情報６０Ｂ、ＩＰアドレス６０Ｃ及び状態情報６０Ｄを記憶管理している。
【００９２】
データベース６０は、ＬＡＮ回線７０に接続する管理端末装置３からの登録操作に応じて相手側端末装置のテキスト情報やＩＰアドレスを変更登録することができるものである。
【００９３】
尚、請求項記載の通信システムはＩＰ電話交換システム１Ａ、ＩＰ通信端末装置はＩＰ電話装置２Ａ、ＩＰ制御装置は制御サーバ５Ａ、情報記憶手段はデータベース６０、情報検索手段及びアドレス情報提供手段はサーバ側制御部５３に相当するものである。
【００９４】
第２の実施の形態を示すＩＰ電話交換システム１Ａの動作について説明する。図９は第２の実施の形態を示すＩＰ電話発信処理に関わる制御サーバ５Ａ内部のサーバ側制御部５３の処理動作を示すフローチャートである。
【００９５】
図９に示すＩＰ電話発信処理とは、ＩＰ電話装置２Ａのユーザが相手側端末装置のＩＰアドレスを知らなくても、ＩＰ電話装置２Ａから相手側端末装置のテキスト情報を検出すると、同テキスト情報に対応したＩＰアドレスをデータベース６０から検索し、このＩＰアドレスを同ＩＰ電話装置２Ａに提供することで、ＩＰ電話装置２Ａから相手側端末装置への発信動作を実現する処理動作である。
【００９６】
図９において制御サーバ５Ａ内部のサーバ側制御部５３は、ＩＰ電話装置２Ａから相手側端末装置のテキスト情報を受信したか否かを判定する（ステップＳ４１）。
【００９７】
サーバ側制御部５３は、相手側端末装置のテキスト情報を受信したのであれば、テキスト情報に対応したＩＰアドレスがデータベース６０内にあるか否かを判定する（ステップＳ４２）。
【００９８】
サーバ側制御部５３は、データベース６０内にテキスト情報に対応したＩＰアドレスがあると判定されると、このＩＰアドレスに対応した状態情報が空き状態であるか否かを判定する（ステップＳ４３）。
【００９９】
サーバ側制御部５３は、同ＩＰアドレスに対応した状態情報が空き状態であると判定されると、同ＩＰアドレスをステップＳ４１でテキスト情報を発信したＩＰ電話装置２Ａに提供することで（ステップＳ４４）、このＩＰ電話発信処理の処理動作を終了する。尚、ＩＰ電話装置２Ａのユーザは、サーバ側制御部５３から提供を受けたＩＰアドレスに基づき、相手側端末装置への発信動作を行うことができる。
【０１００】
サーバ側制御部５３は、ステップＳ４１にてＩＰ電話装置２Ａから相手側端末装置のテキスト情報を受信したのでなければ、このＩＰ電話発信処理の処理動作を終了する。
【０１０１】
サーバ側制御部５３は、ステップＳ４２にてテキスト情報に対応したＩＰアドレスがないと判定されると、該当テキスト情報がないものと判断し、テキスト情報エラーをステップＳ４１でテキスト情報を発信したＩＰ電話装置２Ａに通知し（ステップＳ４５）、このＩＰ電話発信処理の処理動作を終了する。尚、ＩＰ電話装置２Ａのユーザは、テキスト情報エラーに基づき、同テキスト情報がエラーであることを認識することができるものである。
【０１０２】
サーバ側制御部５３は、ステップＳ４３にてＩＰアドレスに対応した状態情報が空き状態でないと判定されると、回線使用中であると判断し、使用中エラーをステップＳ４１でテキスト情報を発信したＩＰ電話装置２Ａに通知し（ステップＳ４６）、このＩＰ電話発信処理の処理動作を終了する。尚、ＩＰ電話装置２Ａのユーザは、通信対象の相手側端末装置が回線使用中であることを認識することができるものである。
【０１０３】
第２の実施の形態によれば、制御サーバ５Ａ側で、通信対象の相手側端末装置毎にテキスト情報及びＩＰアドレスを記憶管理し、ＩＰ電話装置２Ａからの通信対象のテキスト情報を受信すると、このテキスト情報に対応したＩＰアドレスをデータベース６０から検索し、このＩＰアドレスをＩＰ電話装置２Ａに提供するようにした、すなわち、ＩＰ電話装置２Ａ側では通信対象のテキスト情報のみを記憶管理するだけで済むため、ＩＰ電話装置２Ａ側でＩＰアドレスを記憶管理する必要もなくなることから、例えば相手側端末装置のＩＰアドレスに変更が生じたとしても、制御サーバ５Ａ側のデータベース６０内の相手側端末装置に対応したＩＰアドレスを変更するだけで、各ＩＰ電話装置２Ａに対するＩＰアドレス変更に伴う配信作業及び登録作業等の変更登録作業が必要なくなるため、その作業負担を大幅に軽減することができる。
【０１０４】
第２の実施の形態によれば、ＩＰ電話装置２Ａ側にて制御サーバ５Ａ側からテキスト情報に対応したＩＰアドレスの提供を受けると、このＩＰアドレスに基づき、ＩＰテキストに関わる相手側端末装置への発信動作を実行するようにしたので、ＩＰ電話装置２Ａのユーザは、制御サーバ５Ａ側から相手側端末装置のテキスト情報に対応したＩＰアドレスの提供を受けて同相手側端末装置に発信することができる。
【０１０５】
第２の実施の形態によれば、制御サーバ５Ａ側でデータベース６０の記憶内容が更新されると、同更新内容をＩＰ電話装置２Ａに通知するようにしたので、相手側端末装置のＩＰアドレスに変更が発生した場合はＩＰ電話装置２Ａに対する変更登録作業は必要ないが、相手側端末装置のテキスト情報に変更が発生した場合はＩＰ電話装置２Ａに同テキスト情報を配信し、各ＩＰ電話装置２Ａ側に最新のテキスト情報を登録更新することができる。
【産業上の利用可能性】
【０１０６】
本発明の通信システムは、通信端末装置側では通信対象のテキスト情報のみを記憶管理するだけで済むため、通信端末装置側で通信アクセス情報を記憶管理する必要もなくなることから、例えば相手側端末装置の電話番号等の通信アクセス情報に変更が生じたとしても、制御装置側の情報記憶手段内の相手側端末装置に対応した通信アクセス情報を変更するだけで、各通信端末装置に対する通信アクセス情報の変更に伴う配信作業及び登録作業等の変更登録作業が必要なくなるため、その作業負担を大幅に軽減することができることから、例えば会社内の電話交換システムに有用である。
【図面の簡単な説明】
【０１０７】
【図１】本発明の通信システムに関わる第１の実施の形態を示す構内交換システム内部の概略構成を示すブロック図である。
【図２】第１の実施の形態に関わる構内交換機のＣＣ内部の概略構成を示すブロック図である。
【図３】第１の実施の形態に関わる回線情報メモリのメモリ内容を端的に示す説明図である。
【図４】第１の実施の形態に関わる回線状態メモリのメモリ内容を端的に示す説明図である。
【図５】第１の実施の形態の回線情報登録処理に関わる構内交換機内部のＣＣの処理動作を示すフローチャートである。
【図６】第１の実施の形態の内線電話発信処理に関わる構内交換機内部のＣＣの処理動作を示すフローチャートである。
【図７】第２の実施の形態を示すＩＰ電話交換システム内部の概略構成を示すブロック図である。
【図８】第２の実施の形態に関わるデータベースのメモリ内容を端的に示す説明図である。
【図９】第２の実施の形態のＩＰ電話発信処理に関わる制御サーバ内部のサーバ側制御部の処理動作を示すフローチャートである。
【符号の説明】
【０１０８】
１  構内交換システム（通信システム）
１Ａ  ＩＰ電話交換システム（通信システム）
２  内線電話機（通信端末装置）
２Ａ  ＩＰ電話装置（ＩＰ通信端末装置）
３  管理端末装置（管理端末）
５Ａ  制御サーバ（ＩＰ制御装置）
１６  中央制御装置（ＣＣ：制御装置）
２２  回線情報メモリ（情報記憶手段）
４２  回線情報メモリ制御部（情報検索手段及び記憶更新手段）
４１  通信制御部（通信制御手段）
４４  制御部（通信制御手段）
６０  データベース（情報記憶手段）
５３  サーバ側制御部（情報検索手段及びアドレス情報提供手段）
【図１】
2006042103.tif 000003
【図２】
2006042103.tif 000004
【図３】
2006042103.tif 000005
【図４】
2006042103.tif 000006
【図５】
2006042103.tif 000007
【図６】
2006042103.tif 000008
【図７】
2006042103.tif 000009
【図８】
2006042103.tif 000010
【図９】
2006042103.tif 000011